(57)【特許請求の範囲】
【請求項１】
一方の端部が接続端部となっており、前記接続端部を斜め下向きに開口させたシールドパイプと、
前記接続端部の外周にカシメリングにより導通可能に固着された可撓性を有する筒状のシールド部材と、
前記シールドパイプと前記シールド部材に挿通された複数本の電線と、
少なくとも前記シールド部材と前記カシメリングとの固着領域を包囲するように配されたゴム製のシールド用グロメットと、
前記シールド用グロメットの上端部を前記シールドパイプの外周に液密状に固定する固定部材と、
前記シールド部材を包囲し、上端部が前記シールド用グロメットの少なくとも下端部を包囲するように配された可撓性を有する合成樹脂製のチューブと、
前記チューブの上端部の外周から前記シールド用グロメットの外周に亘り、液密状に巻き付けられた粘着テープとを備え、
前記シールド用グロメットの下端部が、前記シールドパイプの軸線方向において前記シールドパイプの前記接続端部と対応する高さに位置していることを特徴とするシールド導電路。
【請求項２】
前記粘着テープが、前記シールド用グロメットから前記チューブに向かって下方へ螺旋巻きされていることを特徴とする請求項１記載のシールド導電路。
【請求項３】
前記複数本の電線を個別に且つ液密状に貫通させる電線用シール部と、前記シールドパイプの下端の開口部を液密状に封止するパイプ用シール部とが形成されたパイプ用グロメットを備えていることを特徴とする請求項１又は請求項２記載のシールド導電路。
【発明の詳細な説明】
【技術分野】
【０００１】
本発明は、シールド導電路に関するものである。
【背景技術】
【０００２】
特許文献１には、ハイブリッド車両や電気自動車に用いることのできるシールド導電路が開示されている。このシールド導電路は、複数本の電線を金属製のシールドパイプ内に挿通し、シールドパイプの外部では、複数本の電線を金属製の編組線で包囲し、編組線をゴム製筒状部材で包囲した構造となっている。
【先行技術文献】
【特許文献】
【０００３】
【特許文献１】特開２００６−３１１６９９号公報
【発明の概要】
【発明が解決しようとする課題】
【０００４】
編組線の端部は、金属製のカシメリングによってシールドパイプの外周にカシメ付けられ、編組線の端部とカシメリングは、ゴム製筒状部材によって包囲されている。そして、ゴム製筒状部材の最端部をシールドパイプの外周に密着させることで、編組線の端部とカシメリングとのカシメ部分に対する被水を防止している。
【０００５】
しかし、従来のシールド導電路では、ゴム製筒状部材の端部がシールドパイプの外周に弾性的に密着しているだけである。そのため、ゴム製筒状部材の端部とシールドパイプとの密着部分の隙間を通って外部から水が浸入し、浸入した水がシールドパイプの外周面を伝ってシールドパイプの内部に浸入することが懸念される。
【０００６】
本発明は上記のような事情に基づいて完成されたものであって、シールドパイプにおけるシールド部材との接続端部を確実に防水することを目的とする。
【課題を解決するための手段】
【０００７】
本発明のシールド導電路は、
一方の端部が接続端部となっており、前記接続端部を斜め下向きに開口させたシールドパイプと、
前記接続端部の外周にカシメリングにより導通可能に固着された可撓性を有する筒状のシールド部材と、
前記シールドパイプと前記シールド部材に挿通された複数本の電線と、
少なくとも前記シールド部材と前記カシメリングとの固着領域を包囲するように配されたゴム製のシールド用グロメットと、
前記シールド用グロメットの上端部を前記シールドパイプの外周に液密状に固定する固定部材と、
前記シールド部材を包囲し、上端部が前記シールド用グロメットの少なくとも下端部を包囲するように配された可撓性を有する合成樹脂製のチューブと、
前記チューブの上端部の外周から前記シールド用グロメットの外周に亘り、液密状に巻き付けられた粘着テープとを備え、前記シールド用グロメットの下端部が、前記シールドパイプの軸線方向において前記シールドパイプの前記接続端部と対応する高さに位置しているところに特徴を有する。
【発明の効果】
【０００８】
シールドパイプの外周を伝ってシールド用グロメットの上端に到達した水分は、シールド用グロメットの外周と粘着テープの外周とチューブの外周を順に伝い流れるので、シールドパイプの接続端部やシールド部材が被水する虞はない。したがって、本発明によれば、シールドパイプにおけるシールド部材との接続端部を確実に防水することができる。
【図面の簡単な説明】
【０００９】
【図１】実施例１のシールド導電路の側断面図
【図２】シールド導電路の外観をあらわす側面図
【図３】パイプ用グロメットの側面図
【図４】図３のＸ−Ｘ線断面図
【図５】パイプ用グロメットの正面図
【図６】パイプ用グロメットの背面図
【発明を実施するための形態】
【００１０】
本発明のシールド導電路は、前記粘着テープが、前記シールド用グロメットから前記チューブに向かって下方へ螺旋巻きされていてもよい。  
この構成によれば、下方から被水する場合に、粘着テープの隙間への浸水を確実に防止することができる。
【００１１】
本発明のシールド導電路は、前記複数本の電線を個別に且つ液密状に貫通させる電線用シール部と、前記シールドパイプの下端の開口部を液密状に封止するパイプ用シール部とが形成されたパイプ用グロメットを備えていてもよい。  
この構成によれば、シールドパイプの下方においてチューブの内部に水が浸入しても、その水がシールドパイプの内部に浸入する虞はない。
【００１２】
＜実施例１＞
以下、本発明を具体化した実施例１を図１〜図６を参照して説明する。本実施例のシールド導電路は、２本（複数本）の電線１０と、シールドパイプ１１と、編組線１４（請求項に記載のシールド部材）と、パイプ用グロメット１６と、シールド用グロメット２５と、チューブ３０と、外装用粘着テープ３２（請求項に記載の粘着テープ）とを備えて構成されている。
【００１３】
＜電線１０＞
各電線１０は、夫々、導体（図示省略）を絶縁被覆で包囲した周知形態の導電路である。電線１０の断面形状は、円形である。２本の電線１０は、例えば、ハイブリッド自動車や電気自動車等の電動車両（図示省略）に搭載されたモータ、インバータ、バッテリー等の動力用機器（図示省略）の間に配索されている。
【００１４】
＜シールドパイプ１１＞
シールドパイプ１１は、金属材料からなる円形断面のパイプ材からなり、シールド機能を発揮する。シールドパイプ１１は、必要箇所に所定の形状の曲げ加工が施され、電動車両のフロアパネルの下面に沿うように配索されている。シールドパイプ１１の一方の端部は、編組線１４を接続するための接続端部１２となっている。図１に示すように、シールドパイプ１１は、その接続端部１２の開口部１３が斜め下前方へ開口するような向きで電動車両に取り付けられている。
【００１５】
＜編組線１４＞
編組線１４は、金属細線を網状に編み込むことによって可能性を有する筒状に成形されたものであり、シールドパイプ１１と同様、シールド機能を発揮する。編組線１４の一方の端部は、シールドパイプ１１の接続端部１２の外周に被せられ、金属製のカシメリング１５によって導通可能に固着されている。編組線１４は、シールドパイプ１１の接続端部１２から斜め下前方へ延出している。この編組線１４とシールドパイプ１１の内部には、上記した２本の電線１０が挿通されている。
【００１６】
＜パイプ用グロメット１６＞
パイプ用グロメット１６は、ゴム製であり、図３〜６に示すように、円筒状をなす１つのパイプ用シール部１７と、略円筒状をなす一対の電線用シール部１８とを有する。パイプ用シール部１７の後端部と、並列配置された一対の電線用シール部１８の前端部とは、パイプ用シール部１７の軸線と略直角な壁状をなす連結部１９を介して連なっている。パイプ用シール部１７の内部空間と、二股状をなす一対の電線用シール部１８の内部空間とは、相互に連通したシール空間２０を構成している。このシール空間２０がパイプ用グロメット１６の外部と連通するのは、パイプ用シール部１７の前端面と両電線用シール部１８の後端部のみである。
【００１７】
図１に示すように、パイプ用シール部１７内には２本の電線１０が並列して貫通されている。また、各電線用シール部１８内には、夫々、電線１０が個別に貫通されている。そして、パイプ用グロメット１６は、パイプ用シール部１７の前端部をシールドパイプ１１の接続端部１２の外周に被せるようにしてシールドパイプ１１に取り付けられている。接続端部１２におけるパイプ用シール部１７の取付け位置は、編組線１４がカシメリング１５によって固着されている位置よりも下方の領域（シールドパイプ１１の開口部１３に近い領域）である。シールドパイプ１１に取り付けたパイプ用グロメット１６は、シールドパイプ１１の接続端部１２から斜め下前方へ延出した状態となる。
【００１８】
接続端部１２に外嵌されたパイプ用シール部１７の前端部の内周には、周方向に沿ったパイプ側リップ部２１が形成されている。そして、パイプ用シール部１７の前端部の外周には、パイプシール用粘着テープ２２が強固に巻き付けられている。このパイプシール用粘着テープ２２の巻き付けにより、パイプ側リップ部２１が弾性変形した状態で接続端部１２の外周に液密状に密着している。これにより、パイプ用グロメット１６の前端部（上端部）の内周とシールドパイプ１１の外周との隙間がシールされ、この隙間からシール空間２０内への浸水が防止されている。
【００１９】
また、各電線用シール部１８の後端部の内周には、夫々、周方向に沿った電線側リップ部２３が形成されている。そして、電線１０に外嵌されている電線用シール部１８の後端部の外周から、電線１０のうち電線用シール部１８から斜め下方へ導出した領域の外周に亘り、電線シール用粘着テープ２４が強固に巻き付けられている。この電線シール用粘着テープ２４の巻き付けにより、電線側リップ部２３が弾性変形した状態で電線１０の外周に対し液密状に密着している。これにより、パイプ用グロメット１６（電線用シール部１８）の後端部（下端部）の内周と電線１０の外周との隙間がシールされ、この隙間からシール空間２０内への浸水が防止されている。
【００２０】
以上により、シールドパイプ１１の接続端部１２の斜め下向きに開口する開口部１３が、パイプ用グロメット１６により液密状に封止されている。これにより、接続端部１２の開口部１３からシールドパイプ１１の内部への浸水が防止されている。また、パイプ用グロメット１６とパイプシール用粘着テープ２２と電線シール用粘着テープ２４は、編組線１４によって包囲されている。
【００２１】
＜シールド用グロメット２５＞
シールド用グロメット２５は、ゴム製であり、弾性変形可能な円筒状をなしている。シールド用グロメット２５は、シールドパイプ１１に対し包囲するように取り付けられている。シールド用グロメット２５の上端部２６は、編組線１４とカシメリング１５との固着領域よりも少し上方の位置に配されている。シールド用グロメット２５の上端部２６の内周には、周方向に沿った複数のパイプ用リップ部２７が突出形成されている。このパイプ用リップ部２７は、シールドパイプ１１の接続端部１２の外周に、直接的に、当接している。
【００２２】
そして、シールド用グロメット２５の上端部は、結束バンド２８（請求項に記載の固定部材）によって強固に締め付けられている。この結束バンド２８の締め付けにより、パイプ用リップ部２７が、シールドパイプ１１の外周面に対し液密状に密着している。これにより、シールド用グロメット２５の内周とシールドパイプ１１の外周との隙間がシールされ、この隙間からシールド用グロメット２５内への浸水が防止されている。
【００２３】
シールド用グロメット２５は、編組線１４とカシメリング１５の固着領域を包囲している。さらに、シールド用グロメット２５の下端部２９は、シールドパイプ１１の軸線方向においてパイプ用グロメット１６の上端部（前端部）と対応する領域に位置し、パイプ用シール部１７の上端部と編組線１４とを包囲している。また、シールド用グロメット２５の下端部２９の内周は編組線１４の外周に接触している。
【００２４】
＜チューブ３０＞
チューブ３０は、合成樹脂製であり、可撓性を有する筒状に成形されている。チューブ３０を編組線１４を包囲するように取り付けられている。チューブ３０の上端部３１は、シールド用グロメット２５の下端部２９の外周に被せられている。
【００２５】
＜外装用粘着テープ３２＞
シールド用グロメット２５の外周のうちチューブ３０よりも上方の領域から、チューブ３０の上端部３１の外周に亘り、外装用粘着テープ３２が締め付けるように巻き付けられている。この外装用粘着テープ３２の締付けにより、チューブ３０の上端部３１の内周とシールド用グロメット２５の下端部２９の外周との隙間が液密状にシールされる。これにより、この隙間からチューブ３０の内部への浸水が防止されている。
【００２６】
また、外装用粘着テープ３２の巻付端は、シールド用グロメット２５の外周に密着している。そして、外装用粘着テープ３２は、下方へ向かって螺旋状に巻き付けられている。つまり、外装用粘着テープ３２を巻き付ける過程では、先に巻き付けられている領域の下端部の外周に、後から巻き付けられる領域が重ねられる。したがって、外装用粘着テープ３２の外周に対し斜め下方から水が被着した場合、その水は、外装用粘着テープ３２同士の隙間に浸入することなく、外装用粘着テープ３２の外周面を伝い流れるようになっている。
【００２７】
＜実施例の作用及び効果＞
本実施例のシールド導電路は、シールドパイプ１１と、編組線１４と、２本（複数本）の電線１０と、シールド用グロメット２５と、結束バンド２８と、チューブ３０と、外装用粘着テープ３２とを備えている。シールドパイプ１１は、その一方の端部が接続端部１２となっており、接続端部１２を斜め下向きに開口させている。編組線１４は、接続端部１２の外周にカシメリング１５により導通可能に固着された可撓性を有する筒状の部材である。電線１０は、シールドパイプ１１と編組線１４とに挿通されている。シールド用グロメット２５は、少なくとも編組線１４とカシメリング１５との固着領域を包囲するように配されたゴム製の部材である。
【００２８】
結束バンド２８は、シールド用グロメット２５の上端部２６をシールドパイプ１１（接続端部１２）の外周に液密状に固定する。チューブ３０は、可撓性を有する合成樹脂製の部材であり、シールド部材を包囲している。チューブ３０の上端部はシールド用グロメット２５の少なくとも下端部を包囲している。外装用粘着テープ３２は、チューブ３０の上端部３１の外周からシールド用グロメット２５の外周に亘り、液密状に巻き付けられている。
【００２９】
かかる構成のシールド導電路によれば、シールドパイプ１１の外周を伝ってシールド用グロメット２５の上端に到達した水分は、シールド用グロメット２５の外周と外装用粘着テープ３２の外周とチューブ３０の外周を順に伝い下方へ流れ落ちるので、シールドパイプ１１の接続端部１２やシールド部材が被水する虞はない。したがって、シールドパイプ１１におけるシールド部材との接続端部１２を確実に防水することができる。
【００３０】
また、外装用粘着テープ３２は、シールド用グロメット２５からチューブ３０に向かって下方へ螺旋巻きされている。この構成によれば、下方から被水する場合に、外装用粘着テープ３２の隙間への浸水を確実に防止することができる。
【００３１】
また、本実施例のシールド導電路は、２本の電線１０を個別に且つ液密状に貫通させる電線用シール部１８と、シールドパイプ１１の下端の開口部１３を液密状に封止するパイプ用シール部１７とが形成されたパイプ用グロメット１６を備えている。このようなパイプ用グロメット１６を設けたことにより、シールドパイプ１１の下方においてチューブ３０の内部に水が浸入し、その水がシールドパイプ１１の下端部の開口部１３の近傍に到達したとしても、シールドパイプ１１の内部に浸入する虞はない。
【００３２】
＜他の実施例＞
本発明は上記記述及び図面によって説明した実施例に限定されるものではなく、例えば次のような実施例も本発明の技術的範囲に含まれる。  
（１）上記実施例では、外装用粘着テープを下方へ螺旋巻きしているが、上方から被水する場合には、外装用粘着テープを上方へ螺旋巻きしてもよい。  
（２）上記実施例では、シールド部材として金属細線を網状に編み込んだ編組線を用いたが、シールド部材は、編組線に限らず、金属箔や、非導電性の母材の外周面に導電層を積層したもの等であってもよい。  
（３）上記実施例では、シールドパイプの下端の開口部をパイプ用グロメットによって液密状に封止したが、シールドパイプの下端の開口部はパイプ用グロメットで封止しなくてもよい。  
（４）上記実施例では、シールドパイプとシールド部材に挿通する電線を２本としたが、挿通する電線は３本以上であってもよい。  
（５）上記実施例では、パイプシール用粘着テープをパイプ用シール部の外周のみに巻き付けたが、パイプシール用粘着テープは、パイプ用シール部の外周からシールドパイプの外周に亘って巻き付けてもよい。  
（６）上記実施例では、電線シール用粘着テープを、電線用シール部の外周から電線の外周に亘って巻き付けたが、電線シール用粘着テープは電線用シール部の外周のみに巻き付けてもよい。  
（７）上記実施例では、シールド用グロメットをシールドパイプに固定するための固定部材として結束バンドを用いたが、固定部材は、結束バンド以外の部材（例えば、粘着テープ）を用いてもよい。
【符号の説明】
【００３３】
１０…電線
１１…シールドパイプ
１２…接続端部
１３…シールドパイプの開口部
１４…編組線（シールド部材）
１５…カシメリング
１６…パイプ用グロメット
１７…パイプ用シール部
１８…電線用シール部
２５…シールド用グロメット
２６…シールド用グロメットの上端部
２８…結束バンド（固定部材）
２９…シールド用グロメットの下端部
３０…チューブ
３１…チューブの上端部
３２…外装用粘着テープ（粘着テープ）
【要約】
【課題】シールドパイプにおけるシールド部材との接続端部を防水する。
【解決手段】シールド導電路は、接続端部１２を斜め下向きに開口させたシールドパイプ１１と、接続端部１２の外周にカシメリング１５により固着された編組線１４（シールド部材）と、シールドパイプ１１と編組線１４に挿通された複数本の電線１０と、編組線１４とカシメリング１５との固着領域を包囲するゴム製のシールド用グロメット２５と、シールド用グロメット２５の上端部２６をシールドパイプ１１の外周に液密状に固定する結束バンド２８（固定部材）と、編組線１４を包囲し、上端部３１がシールド用グロメット２５の下端部２９を包囲する合成樹脂製のチューブ３０と、チューブ３０の上端部３１の外周からシールド用グロメット２５の外周に亘って液密状に巻き付けた外装用粘着テープ３２（粘着テープ）とを備える。
【選択図】図１【図１】
0006040299.tif 000002
【図２】
0006040299.tif 000003
【図３】
0006040299.tif 000004
【図４】
0006040299.tif 000005
【図５】
0006040299.tif 000006
【図６】
0006040299.tif 000007